(57)【要約】  ＬＴＥをサポートする無線通信システムにおいてユーザ装置と通信する基地局であって、時間方向において同期信号がマッピングされる所定のサブフレームで表される区間と、周波数方向において前記同期信号がマッピングされる区間とで囲まれた範囲の中で、前記同期信号がマッピングされるリソースエレメント以外のリソースエレメントにＵＥ固有参照信号がマッピングされる第一のパターンに従って、ＵＥ固有参照信号がマッピングされる信号を生成する生成部と、生成される前記信号を送信する送信部と、を有する基地局を提供する。
2017082232.tif 000002
【特許請求の範囲】
【請求項１】
ＬＴＥをサポートする無線通信システムにおいてユーザ装置と通信する基地局であって、
時間方向において同期信号がマッピングされる所定のサブフレームで表される区間と、周波数方向において前記同期信号がマッピングされる区間とで囲まれた範囲の中で、前記同期信号がマッピングされるリソースエレメント以外のリソースエレメントにＵＥ固有参照信号がマッピングされる第一のパターンに従って、ＵＥ固有参照信号がマッピングされる信号を生成する生成部と、
生成される前記信号を送信する送信部と、
を有する基地局。
【請求項２】
前記生成部は、
時間方向において前記所定のサブフレームで表される区間と、周波数方向において前記同期信号がマッピングされない区間とで囲まれた範囲のリソースエレメントに、前記第一のパターンとは異なる第二のパターンでＵＥ固有参照信号がマッピングされる信号を生成する、
請求項１に記載の基地局。
【請求項３】
前記生成部は、
時間方向において前記所定のサブフレームで表される区間と、周波数方向において前記同期信号がマッピングされない区間とで囲まれた範囲のリソースエレメントに、前記第一のパターンでＵＥ固有参照信号がマッピングされる信号を生成する、
請求項１に記載の基地局。
【請求項４】
前記生成部は、
時間方向において同期信号がマッピングされないサブフレームにおけるリソースエレメントに、前記第一のパターンでＵＥ固有参照信号がマッピングされる信号を生成する、
請求項３に記載の基地局。
【請求項５】
前記生成部は、
時間方向において前記所定のサブフレームで表される区間に、チャネル状態情報参照信号がマッピングされる場合、時間方向において前記所定のサブフレームで表される区間におけるリソースエレメントに、前記第一のパターンとは異なる第二のパターンでＵＥ固有参照信号がマッピングされる信号を生成する、
請求項１乃至４のいずれか一項に記載の基地局。
【請求項６】
前記ユーザ装置に、前記第一のパターンでマッピングされるＵＥ固有参照信号を送信することを通知する管理部、
を有する請求項１乃至５のいずれか一項に記載の基地局。
【請求項７】
ＬＴＥをサポートする無線通信システムにおいてユーザ装置と通信する基地局であって、
時間方向において同期信号がマッピングされる所定のサブフレームで表される区間と、周波数方向において前記同期信号がマッピングされる区間とで囲まれた範囲のリソースエレメントに、所定のパターンでＵＥ固有参照信号がマッピングされ、
前記所定のパターンに従ってＵＥ固有参照信号がマッピングされるリソースエレメントのうち、前記範囲の中で前記同期信号がマッピングされるシンボルと時間方向で連続するリソースエレメントにはＵＥ固有参照信号に代えて物理下り共有チャネルの信号がマッピングされる信号を生成する生成部と、
生成される前記信号を送信する送信部と、
を有する基地局。
【請求項８】
ＬＴＥをサポートする無線通信システムにおいて基地局と通信するユーザ装置であって、
時間方向において同期信号がマッピングされる所定のサブフレームで表される区間と、周波数方向において前記同期信号がマッピングされる区間とで囲まれた範囲のリソースエレメントに所定のパターンでマッピングされるＵＥ固有参照信号のうち、時間方向に連続したリソースエレメントにマッピングされるＵＥ固有参照信号を受信する第一の受信部と、
前記第一の受信部で受信した前記ＵＥ固有参照信号を用いて、物理下り共有チャネルの信号を受信する第二の受信部と、
を有するユーザ装置。
【請求項９】
ＬＴＥをサポートする無線通信システムにおいてユーザ装置と通信する基地局が実行する参照信号送信方法であって、
時間方向において同期信号がマッピングされる所定のサブフレームで表される区間と、周波数方向において前記同期信号がマッピングされる区間とで囲まれた範囲の中で、前記同期信号がマッピングされるリソースエレメント以外のリソースエレメントにＵＥ固有参照信号がマッピングされる第一のパターンに従って、ＵＥ固有参照信号がマッピングされる信号を生成するステップと、
生成される前記信号を送信するステップと、
を有する参照信号送信方法。
【請求項１０】
ＬＴＥをサポートする無線通信システムにおいて基地局と通信するユーザ装置が実行する信号受信方法であって、
時間方向において同期信号がマッピングされる所定のサブフレームで表される区間と、周波数方向において前記同期信号がマッピングされる区間とで囲まれた範囲のリソースエレメントに所定のパターンでマッピングされるＵＥ固有参照信号のうち、時間方向に連続したリソースエレメントにマッピングされるＵＥ固有参照信号を受信するステップと、
受信した前記ＵＥ固有参照信号を用いて、物理下り共有チャネルの信号を受信するステップと、
を有する信号受信方法。
【発明の詳細な説明】
【技術分野】
【０００１】
本発明は、基地局、ユーザ装置、参照信号送信方法及び信号受信方法に関する。
【背景技術】
【０００２】
ＬＴＥ（Long Term Evolution）システムでは、ユーザ装置（UE:User Equipment）が下りリンク（DL:Downlink）のチャネル推定、受信品質測定等を行うために用いられる複数の参照信号（Reference Signal）が規定されている。例えば、ＣＲＳ（セル固有参照信号:Cell specific Reference Signal）、ＣＳＩ−ＲＳ（チャネル状態情報参照信号:Channel State Information Reference Signal）、ＵＥ−ＲＳ（ＵＥ固有参照信号：UE specific Reference Signal）等が規定されている。【０００３】
また、ＬＴＥシステムでは、ユーザ装置が基地局（eNB:enhanced NodeB）との間で時間及び周波数同期を行うために用いられるＳＳ（同期信号:Synchronization Signal）として、ＰＳＳ（Primary Synchronization Signal）、及びＳＳＳ（Secondary Synchronization Signal）が規定されている（非特許文献１参照）。【０００４】
また、ＬＴＥシステムでは、下りリンクの伝送方式として、複数の伝送モード（TM:Transmission mode）が規定されている。例えばＴＭ９は、３ＧＰＰ  Ｒｅｌ−１０で追加された伝送モードであり、最大８つのアンテナポートを用いる８レイヤのＭＩＭＯをサポートする。
【先行技術文献】
【非特許文献】
【０００５】
【非特許文献１】３ＧＰＰ  ＴＳ３６．２１１  Ｖ１２．７．０（２０１５−０９）
【非特許文献２】３ＧＰＰ  ＴＳ３６．２１３  Ｖ１２．７．０（２０１５−０９）
【発明の概要】
【発明が解決しようとする課題】
【０００６】
下りリンクの伝送モードの一部（例えば、ＴＭ９、ＴＭ１０など）では、ユーザ装置はＵＥ−ＲＳを用いてＰＤＳＣＨ（物理下り共有チャネル: Physical Downlink Shared Channel）を受信する。【０００７】
ここで、非特許文献２によれば、当該伝送モードでは、ユーザ装置は、ＳＳがマッピングされる（含まれる）サブフレームにおいて、自身に割当てられているＰＤＳＣＨのＲＢ（リソースブロック:Resource Block）の一部に、ＳＳがマッピングされているＲＢが含まれている場合、当該サブフレームにおいて、自身に割当てられているＰＤＳＣＨの全てのＲＢを受信しないように動作することが規定されている。【０００８】
本規定が存在するため、基地局は、ＳＳがマッピングされるサブフレームでは、ＳＳがマッピングされるＲＢを避けるようにＰＤＳＣＨのスケジューリングを行う必要がある。そのため、基地局は、全てのＲＢを使い切ることができず、スループット低下（ピークスループット低下を含む）、及び無線容量の低下の要因となっている。例えば、ＴＤＤ（Time division Duplex）におけるＵＬ／ＤＬサブフレーム構成（UL/DL Sub frame configuration）＝２の場合、約６％程度のスループットの低下が発生する。【０００９】
図を参照して具体例を説明する。例えば、図１Ａに示すように、仮に、システム帯域全体のＰＤＳＣＨの全てのＲＢが同一のユーザ装置に割当てられ、当該全てのＲＢの一部のＲＢにＳＳ（図１Ａの例ではＳＳＳ）が含まれていた場合を想定する。図１Ａの場合、ユーザ装置は、システム帯域全体のＰＤＳＣＨの全てのＲＢを受信しないように動作することになる。【００１０】
そこで、基地局は、図１Ｂに示すように、ＳＳがマッピングされるサブフレームにおいて、ＳＳがマッピングされるＲＢを避けるようにスケジューリングを行う。なお、周波数方向におけるＰＤＳＣＨのスケジューリングは、ＲＢグループ単位（帯域幅が２０ＭＨｚの場合、１ＲＢグループ＝４ＲＢ）で行われる。また、時間方向におけるＰＤＳＣＨのスケジューリングは、１サブフレーム内の２つのＲＢ（以下、「ＲＢペア」と呼ぶ）単位で行われる。ＳＳは、帯域幅の中心の約６ＲＢの帯域にマッピングされるため、図１Ｂの例では、基地局は、１サブフレーム内において、帯域幅の中心の３ＲＢグループ（３×４＝１２ＲＢ）の範囲のＲＢペアを避けるようにＰＤＳＣＨのスケジューリングをする必要がある。【００１１】
ここで、ユーザ装置が、自身に割当てられているＰＤＳＣＨのＲＢの一部に、ＳＳがマッピングされるＲＢが含まれている場合、自身に割当てられているＰＤＳＣＨの全てのＲＢを受信しないように動作することが規定されている理由を、図を参照して簡単に説明する。図２に示すように、ＰＤＳＣＨには、複数の参照信号がＰＤＳＣＨ全体に散りばめられてマッピングされている。Ａの範囲はＳＳがマッピングされていないＲＢペアを示しており、Ｂの範囲はＳＳがマッピングされているＲＢペアを示している。図２に示すように、Ｂの範囲では、本来ＵＥ−ＲＳがマッピングされるリソースエレメントの一部にＳＳがマッピングされている。言い換えると、ＵＥ−ＲＳの一部が欠けた状態になる。ＵＥ−ＲＳの一部が欠けてしまうと、ユーザ装置はＵＥ−ＲＳを正しく受信することができなくなり、その結果ＲＢを正しく復調することができなくなる。そのため、上述の規定が設けられている。【００１２】
開示の技術は上記に鑑みてなされたものであって、ＬＴＥをサポートする無線通信システムにおいて、スループットの向上を実現することが可能な技術を提供することを目的とする。
【課題を解決するための手段】
【００１３】
開示の技術の基地局は、ＬＴＥをサポートする無線通信システムにおいてユーザ装置と通信する基地局であって、時間方向において同期信号がマッピングされる所定のサブフレームで表される区間と、周波数方向において前記同期信号がマッピングされる区間とで囲まれた範囲の中で、前記同期信号がマッピングされるリソースエレメント以外のリソースエレメントにＵＥ固有参照信号がマッピングされる第一のパターンに従って、ＵＥ固有参照信号がマッピングされる信号を生成する生成部と、生成される前記信号を送信する送信部と、を有する。
【発明の効果】
【００１４】
開示の技術によれば、ＬＴＥをサポートする無線通信システムにおいて、スループットの向上を実現することが可能な技術が提供される。
【図面の簡単な説明】
【００１５】
【図１Ａ】課題を説明するための図である。
【図１Ｂ】課題を説明するための図である。
【図２】課題を説明するための図である。
【図３】３ＧＰＰで規定されているＵＥ−ＲＳ（ＵＥ  ｓｐｅｃｉｆｉｃ  ＲＳ）のマッピングを示す図である。
【図４】ＴＤＤのＵＬ／ＤＬ  ｓｕｂｆｒａｍｅ  ｃｏｎｆｉｇｕｒａｔｉｏｎを示す図である。
【図５】Ｓｐｅｃｉａｌ  ｓｕｂｆｒａｍｅのｃｏｎｆｉｇｕｒａｔｉｏｎを示す図である。
【図６Ａ】ＰＳＳ／ＳＳＳがマッピングされる位置を示す図である。
【図６Ｂ】ＰＳＳ／ＳＳＳがマッピングされる位置を示す図である。
【図７】実施の形態に係る無線通信システムのシステム構成例を示す図である。
【図８】実施の形態に係る無線通信システムの処理手順を示すシーケンス図である。
【図９Ａ】実施の形態に係る処理手順その１を説明するための図である。
【図９Ｂ】実施の形態に係る処理手順その１を説明するための図である。
【図１０Ａ】実施の形態に係る処理手順その２−１を説明するための図である。
【図１０Ｂ】実施の形態に係る処理手順その２−１を説明するための図である。
【図１１Ａ】実施の形態に係る処理手順その２−２を説明するための図である。
【図１１Ｂ】実施の形態に係る処理手順その２−２を説明するための図である。
【図１２Ａ】実施の形態に係る処理手順その２−３を説明するための図である。
【図１２Ｂ】実施の形態に係る処理手順その２−３を説明するための図である。
【図１３】実施の形態に係る無線通信システムの処理手順を示すシーケンス図である。
【図１４】実施の形態に係る基地局の機能構成例を示す図である。
【図１５】実施の形態に係るユーザ装置の機能構成例を示す図である。
【図１６】実施の形態に係る基地局のハードウェア構成例を示す図である。
【図１７】実施の形態に係るユーザ装置のハードウェア構成例を示す図である。
【発明を実施するための形態】
【００１６】
以下、図面を参照して本発明の実施の形態を説明する。なお、以下で説明する実施の形態は一例に過ぎず、本発明が適用される実施の形態は、以下の実施の形態に限られるわけではない。例えば、本実施の形態に係る無線通信システムはＬＴＥに準拠した方式のシステムを想定しているが、本発明はＬＴＥに限定されるわけではなく、他の方式にも適用可能である。なお、本明細書及び特許請求の範囲において、「ＬＴＥ」は、３ＧＰＰのリリース８、又は９に対応する通信方式のみならず、３ＧＰＰのリリース１０、１１、１２、１３、又はリリース１４以降に対応する第５世代の通信方式も含む広い意味で使用する。
【００１７】
＜ＵＥ−ＲＳ、ＳＳがマッピングされる位置について＞
まず、現在の３ＧＰＰで規定されているＵＥ−ＲＳがマッピングされる位置について説明する。非特許文献２によれば、ＵＥ−ＲＳは、図３に示すようにアンテナポートごとに周波数多重（FDM: Frequency Division Multiplex）及び符号分割多重（CDM:Code Division Multiplex）され、予め定められたリソースエレメントにマッピングされて基地局ｅＮＢから送信される。
【００１８】
図３は、左から順に、それぞれ、アンテナポート７、アンテナポート８、アンテナポート９、アンテナポート１０で送信されるＵＥ−ＲＳがマッピングされるリソースエレメントのパターンを示している。また、各パターンにおいて、ＵＥ−ＲＳは、時間方向で２つの連続したリソースエレメントを用いてＣＤＭされて送信される。言い換えると、２つの連続したリソースエレメントのうち片方が欠けてしまうと、ユーザ装置ＵＥは、そのＵＥ−ＲＳを正しく受信することができない。
【００１９】
また、図３は、上から順に、それぞれ、ＴＤＤのスペシャルサブフレーム構成（Special Subframe Configuration）が「１、２、６又は７」であるスペシャルサブフレームの場合、「３、４、８又は９」であるスペシャルサブフレームの場合、「その他（ＴＤＤのダウンリンクサブフレーム及びＦＤＤを含む）」の場合に、ＵＥ−ＲＳがマッピングされるリソースエレメントのパターンを示している。以下の説明において、図３に示すようにＵＥ−ＲＳがマッピングされる各パターンを、便宜上「従来のＵＥ−ＲＳのマッピングパターン」と呼ぶ。
【００２０】
ここで、ＴＤＤのスペシャルサブフレーム構成について簡単に説明する。スペシャルサブフレーム（Special Subframe）とは、ＴＤＤにおいてＤＬからＵＬに切り替わる際に、ＤＬ及びＵＬ間の干渉を回避するために設けられる特別なサブフレームである。図４に示すように、スペシャルサブフレームは、ＵＬ／ＤＬサブフレーム構成ごとに、予め定められた位置に設けられている。また、スペシャルサブフレームは、図５に示すように、更に、ＤＬ／ＧＰ（Guard Period）／ＵＬの割合が異なる９種類のスペシャルサブフレーム構成が規定されている。
【００２１】
次に、現在の３ＧＰＰで規定されているＳＳについて説明する。図６Ａは、ＦＤＤ−ＬＴＥにおいて、ＰＳＳ／ＳＳＳがマッピングされる位置を示している。図６Ａに示すように、ＦＤＤ−ＬＴＥでは、ＰＳＳは、スロット０及び１０の最後のＯＦＤＭシンボルにマッピングされる。また、ＳＳＳは、ＰＳＳの左隣のＯＦＤＭシンボルにマッピングされる。
【００２２】
図６Ｂは、ＴＤＤ−ＬＴＥにおいて、ＰＳＳ／ＳＳＳがマッピングされる位置を示している。図６Ｂに示すように、ＴＤＤ−ＬＴＥでは、ＰＳＳは、サブフレーム１及び６の３番目のＯＦＤＭシンボルにマッピングされる。また、ＳＳＳは、サブフレーム０及び５の最後のＯＦＤＭシンボルにマッピングされる。
【００２３】
＜システム構成、動作概要＞
図７は、実施の形態に係る無線通信システムのシステム構成例を示す図である。図７に示すように、実施の形態に係る無線通信システムは、基地局ｅＮＢ及びユーザ装置ＵＥを有している。なお、図７の例では、基地局ｅＮＢ及びユーザ装置ＵＥが１つずつ図示されているが、複数の基地局ｅＮＢを有していてもよいし、複数のユーザ装置ＵＥを有していてもよい。
【００２４】
図８は、実施の形態に係る無線通信システムの処理手順を示すシーケンス図である。基地局ｅＮＢは、ユーザ装置ＵＥにＰＤＳＣＨのＲＢの割当てを行い、割当てたＲＢ内にＵＥ−ＲＳを所定のパターンでマッピングすると共に、割当てたＲＢ内のＰＤＳＣＨにＤＬデータを含めてユーザ装置ＵＥに送信する。
【００２５】
ユーザ装置ＵＥは、ＰＤＣＣＨ（Physical Downlink Control Channel）に含まれるＤＣＩ（Downlink Control Information）により、自身に割当てられたＰＤＳＣＨのＲＢを認識する。ユーザ装置ＵＥは、ＵＥ−ＲＳを用いてＰＤＳＣＨを受信する必要がある伝送モードでＤＬデータが送信される場合、自身に割当てられたＲＢ内にマッピングされたＵＥ−ＲＳを受信し、受信したＵＥ−ＲＳを用いてＰＤＳＣＨのチャネル推定を行う。ユーザ装置ＵＥは、チャネル推定値を用いてＰＤＳＣＨの復調を行い、ＤＬデータを受信（取得）する。
【００２６】
ここで、従来のＬＴＥでは、前述の通り、ユーザ装置ＵＥがＵＥ−ＲＳを使用してＰＤＳＣＨを受信する伝送モードでは、ユーザ装置ＵＥは、ＳＳがマッピングされるサブフレームにおいて、自身に割当てられているＰＤＳＣＨのＲＢの一部にＳＳがマッピングされるＲＢが含まれている場合、自身に割当てられているＰＤＳＣＨの全てのＲＢを受信しないように動作することが規定されていた。また、基地局ｅＮＢは、ＳＳがマッピングされるサブフレームでは、ＳＳがマッピングされるＲＢを避けるようにＰＤＳＣＨのスケジューリングを行う必要があった。
【００２７】
一方、本実施の形態では、以下に説明する処理手順を用いることにより、基地局ｅＮＢは、ＳＳがマッピングされるサブフレームであっても、ＳＳがマッピングされるＲＢを避けることなくＰＤＳＣＨのスケジューリングを行うように動作する。また、ユーザ装置ＵＥも、ＳＳがマッピングされるサブフレームにおいて、自身に割当てられているＰＤＳＣＨのＲＢに、ＳＳがマッピングされるＲＢが含まれている場合であっても、自身に割当てられているＰＤＳＣＨのＲＢを受信するように動作する。
【００２８】
＜処理手順＞
（処理手順その１）
処理手順その１では、ＵＥ−ＲＳがマッピングされるリソースエレメントの位置として、「従来のＵＥ−ＲＳのマッピングパターン」がそのまま適用される。
【００２９】
ユーザ装置ＵＥは、ＳＳがマッピングされるサブフレームにおいて、自身に割当てられているＰＤＳＣＨのＲＢに、ＳＳがマッピングされるＲＢが含まれている場合、ＳＳと重複しないＵＥ−ＲＳのみを用いて、自身に割当てられているＰＤＳＣＨのＲＢを受信するように動作する。また、基地局ｅＮＢは、ＳＳがマッピングされるサブフレームであっても、ＳＳがマッピングされるＲＢを避けることなく、ＰＤＳＣＨのスケジューリングを行うように動作する。
【００３０】
図９Ａ及び図９Ｂは、実施の形態に係る処理手順その１を説明するための図である。図９Ａ及び図９Ｂにおけるマス目は、リソースエレメントに相当する。また、図９Ａ及び図９ＢにおいてＵＥ−ＲＳがマッピングされている位置は、図３に示す「従来のＵＥ−ＲＳのマッピングパターン」のうち「その他（ＴＤＤのダウンリンクサブフレーム及びＦＤＤを含む）」の場合にＵＥ−ＲＳがマッピングされるリソースエレメントのパターンに該当する。また、図９Ａ及び図９Ｂに示すＳＳは、ＴＤＤにおけるＳＳＳ（図６Ｂで説明したように、ＴＤＤにおけるＳＳＳはサブフレームの最後のシンボルにマッピングされる）に該当する。以降で説明する図１０〜図１２についても基本的に同様である。
【００３１】
図９Ａ及び図９Ｂを用いてユーザ装置ＵＥ及び基地局ｅＮＢが行う処理手順の具体例を説明する。ユーザ装置ＵＥは、周波数方向でＳＳがマッピングされている区間において、図９Ａ及び図９ＢのうちＡの領域にマッピングされるＵＥ−ＲＳ（すなわち、２つの連続したリソースエレメントにマッピングされるＵＥ−ＲＳ）のみを用いて自身に割当てられているＰＤＳＣＨのＲＢを受信するように動作する。
【００３２】
一方、基地局ｅＮＢは、図９Ａ及び図９Ｂに示すように、ＳＳがマッピングされるサブフレームであっても、ＳＳがマッピングされるＲＢを避けることなくＰＤＳＣＨのスケジューリングを行うように動作する。基地局ｅＮＢは、図９Ａに示すように、Ｂの領域において一部が欠けたＵＥ−ＲＳを送信するようにしてもよいし、図９Ｂに示すように、Ｂの領域において一部が欠けたＵＥ−ＲＳに代えて、ＰＤＳＣＨを送信するようにしてもよい。
【００３３】
以上、処理手順その１によれば、基地局ｅＮＢは、ＳＳがマッピングされるサブフレームであっても、ＳＳがマッピングされるＲＢを避けることなく、ＰＤＳＣＨのスケジューリングを行うことが可能になる。また、ユーザ装置ＵＥは、ＳＳがマッピングされるサブフレームであっても、ＳＳがマッピングされるＲＢを受信することが可能になる。これにより、本無線通信システムにおいてスループットを向上させることが可能になる。
【００３４】
（処理手順その２）
処理手順その２では、ＳＳがマッピングされるサブフレームにおいて、ＵＥ−ＲＳがマッピングされるリソースエレメントの位置を、「従来のＵＥ−ＲＳのマッピングパターン」とは異なる位置にシフトさせることで、ＳＳとＵＥ−ＲＳとがマッピングされるリソースエレメントが重複（衝突）しないようにする。
【００３５】
以下の説明において、ＳＳとＵＥ−ＲＳとがマッピングされるリソースエレメントが重複（衝突）しないようにＵＥ−ＲＳの位置をシフトさせたパターンのことを、便宜上「新たなＵＥ−ＲＳのマッピングパターン」と呼ぶ。
【００３６】
ユーザ装置ＵＥは、ＳＳがマッピングされるサブフレームにおいて、「新たなＵＥ−ＲＳのマッピングパターン」で送信されるＵＥ−ＲＳを用いて、自身に割当てられているＰＤＳＣＨのＲＢを受信するように動作する。
【００３７】
基地局ｅＮＢは、ＳＳがマッピングされるサブフレームにおいて、「新たなＵＥ−ＲＳのマッピングパターン」に従ってＵＥ−ＲＳを送信すると共に、ＳＳがマッピングされるＲＢを避けることなく、ＰＤＳＣＨのスケジューリングを行うように動作する。以下、処理手順その２について、更に複数の処理手順に分けて説明する。
【００３８】
（処理手順その２−１）
図１０Ａ及び図１０Ｂは、実施の形態に係る処理手順その２−１を説明するための図である。図１０Ａは、ＳＳが送信されるサブフレームにおけるＵＥ−ＲＳの位置を示しており、図１０Ｂは、ＳＳが送信されないサブフレームにおけるＵＥ−ＲＳの位置を示している。
【００３９】
基地局ｅＮＢは、図１０Ａに示すように、時間方向においてＳＳがマッピングされるサブフレームで表される区間と、周波数方向においてＳＳがマッピングされている区間とで囲まれた範囲内では、当該範囲内にマッピングされるＵＥ−ＲＳのうち、ＳＳと重複（衝突）するＵＥ−ＲＳを、ＳＳと衝突しないように時間方向にシフト（図１０ＡのＡに示すＵＥ−ＲＳの位置にシフト、すなわち、時間方向に３リソースエレメント戻るようにシフト）させた「新たなＵＥ−ＲＳのマッピングパターン」に従ってＵＥ−ＲＳを送信するように動作する。
【００４０】
また、基地局ｅＮＢは、ＳＳが送信されるサブフレームにおいて、周波数方向においてＳＳとＵＥ−ＲＳとの重複（衝突）が発生しない区間（周波数方向においてＳＳがマッピングされない区間）、及びＳＳが送信されないサブフレームにおいては、「従来のＵＥ−ＲＳのマッピングパターン」に従ってＵＥ−ＲＳを送信する。具体的には、基地局ｅＮＢは、図１０ＡのＢの領域、及び図１０ＢのＡの領域については、ＵＥ−ＲＳの位置をシフトさせずにＵＥ−ＲＳを送信する。
【００４１】
ユーザ装置ＵＥは、ＳＳが送信されるサブフレームにおいて、「新たなＵＥ−ＲＳのマッピングパターン」で送信されるＵＥ−ＲＳと、「従来のＵＥ−ＲＳのマッピングパターン」で送信されるＵＥ−ＲＳとを用いてチャネル推定を行い、自身に割当てられているＰＤＳＣＨのＲＢを受信するように動作する。また、ユーザ装置ＵＥは、ＳＳが送信されないサブフレームにおいて、「従来のＵＥ−ＲＳのマッピングパターン」で送信されるＵＥ−ＲＳを用いてチャネル推定を行い、自身に割当てられているＰＤＳＣＨのＲＢを受信するように動作する。
【００４２】
図１０Ａ及び図１０Ｂに示すＵＥ−ＲＳの位置は、前述の通り、図３に示すパターンのうち「その他（ＴＤＤのダウンリンクサブフレーム及びＦＤＤを含む）」の場合にＵＥ−ＲＳがマッピングされるリソースエレメントのパターンに該当し、ＳＳの位置は、ＴＤＤにおけるＳＳＳに該当する。
【００４３】
図６Ａで説明したように、ＦＤＤの場合、図１０ＡのＳＳの位置にＰＳＳがマッピングされ、その隣のシンボルにはＳＳＳがマッピングされる。従って、ＦＤＤの場合も、図１０Ａ及び図１０Ｂに示す「新たなＵＥ−ＲＳのマッピングパターン」を用いることでＳＳ及びＵＥ−ＲＳの衝突を回避することができることになる。
【００４４】
［「新たなＵＥ−ＲＳのマッピングパターン」のバリエーションについて］
図１０Ａ及び図１０Ｂに示す「新たなＵＥ−ＲＳのマッピングパターン」は一例であり、本実施の形態では、ＳＳ及びＵＥ−ＲＳが衝突しないのであれば、ＵＥ−ＲＳを、あらゆる位置のリソースエレメントにシフトさせることが可能である。例えば、本処理手順では、「新たなＵＥ−ＲＳのマッピングパターン」として、図１０ＡのＡに示す位置のＵＥ−ＲＳを、更に時間方向に１リソースエレメント戻るようにシフトさせたパターンを用いるようにしてもよい。
【００４５】
また、ＵＥ−ＲＳの位置を、時間方向に加えて、周波数方向にもシフトさせるようにしてもよい。例えば、「新たなＵＥ−ＲＳのマッピングパターン」として、図１０ＡのＡに示すＵＥ−ＲＳを、更に、周波数方向（例えば、図１０Ａの右又は左方向）に１乃至４リソースエレメント分シフトさせたパターンを用いるようにしてもよい。
【００４６】
また、図３に示すように、ＴＤＤのスペシャルサブフレーム構成（Special Subframe Configuration）が「１、２、６又は７」であるスペシャルサブフレームの場合、「３、４、８又は９」であるスペシャルサブフレームの場合、ＵＥ−ＲＳがマッピングされるリソースエレメントのパターンが、「その他（ＴＤＤのダウンリンクサブフレーム及びＦＤＤを含む）」の場合とは異なることになる。そこで、これらのスペシャルサブフレーム構成が適用されるＴＤＤのスペシャルサブフレームについては、「新たなＵＥ−ＲＳのマッピングパターン」として、これまでに説明したパターンとは異なるパターンが適用されるようにしてもよい。
【００４７】
また、「新たなＵＥ−ＲＳのマッピングパターン」として、ＴＤＤとＦＤＤとで異なるパターンが適用されるようにしてもよい。
【００４８】
また、ＣＳＩ−ＲＳが存在するサブフレームにおいては、「新たなＵＥ−ＲＳのマッピングパターン」を適用せずに、「従来のＵＥ−ＲＳのマッピングパターン」が適用されるようにしてもよい。
【００４９】
（処理手順その２−２）
処理手順その２−２では、ＳＳが送信されるサブフレームでは、「新たなＵＥ−ＲＳのマッピングパターン」が適用されるようにして、ＳＳが送信されないサブフレームでは、「従来のＵＥ−ＲＳのマッピングパターン」が適用されるようにする。その他言及しない点は処理手順その２−１と同一でよい。
【００５０】
図１１Ａ及び図１１Ｂは、実施の形態に係る処理手順その２−２を説明するための図である。図１１Ａは、ＳＳが送信されるサブフレームにおけるＵＥ−ＲＳの位置を示しており、図１１Ｂは、ＳＳが送信されないサブフレームにおけるＵＥ−ＲＳの位置を示している。図１１Ａに示すように、基地局ｅＮＢは、ＳＳが送信されるサブフレームでは、「新たなＵＥ−ＲＳのマッピングパターン」に従って、すなわち、図１１ＡのＡに示す位置にＵＥ−ＲＳをシフトさせてＵＥ−ＲＳを送信する。また、図１１Ｂに示すように、基地局ｅＮＢは、ＳＳが送信されないサブフレームでは、「従来のＵＥ−ＲＳのマッピングパターン」に従ってＵＥ−ＲＳを送信する。
【００５１】
ユーザ装置ＵＥは、ＳＳが送信されるサブフレームにおいてＰＤＳＣＨのＲＢを受信する場合、「新たなＵＥ−ＲＳのマッピングパターン」で送信されたＵＥ−ＲＳを用いてチャネル推定を行い、自身に割当てられているＰＤＳＣＨのＲＢを受信するように動作する。また、ユーザ装置ＵＥは、ＳＳが送信されないサブフレームにおいては、「従来のＵＥ−ＲＳのマッピングパターン」で送信されるＵＥ−ＲＳを用いてチャネル推定を行い、自身に割当てられているＰＤＳＣＨのＲＢを受信するように動作する。
【００５２】
（処理手順その２−３）
処理手順その２−３では、全てのサブフレームにおいて、「新たなＵＥ−ＲＳのマッピングパターン」が適用されるようにする。その他言及しない点は処理手順その２−１と同一でよい。
【００５３】
図１２Ａ及び図１２Ｂは、実施の形態に係る処理手順その２−３を説明するための図である。図１２Ａ、ＳＳが送信されるサブフレームにおけるＵＥ−ＲＳの位置を示しており、図１２Ｂは、ＳＳが送信されないサブフレームにおけるＵＥ−ＲＳの位置を示している。図１２Ａ及び図１２Ｂに示すように、基地局ｅＮＢは、「新たなＵＥ−ＲＳのマッピングパターン」に従って、すなわち、図１２ＡのＡ及び図１２ＢのＡに示す位置にＵＥ−ＲＳをシフトさせてＵＥ−ＲＳを送信する。
【００５４】
ユーザ装置ＵＥは、ＰＤＳＣＨのＲＢを受信する場合、「新たなＵＥ−ＲＳのマッピングパターン」で送信されたＵＥ−ＲＳを用いてチャネル推定を行い、自身に割当てられているＰＤＳＣＨのＲＢを受信するように動作する。
【００５５】
以上、処理手順その２によれば、基地局ｅＮＢは、ＳＳがマッピングされるサブフレームであっても、ＳＳがマッピングされるＲＢを避けることなく、ＰＤＳＣＨのスケジューリングを行うことが可能になる。また、ユーザ装置ＵＥは、ＳＳがマッピングされるサブフレームであっても、ＳＳがマッピングされるＲＢを受信することが可能になる。これにより、本無線通信システムにおいてスループットを向上させることが可能になる。
【００５６】
（各処理手順に対する補足事項）
実施の形態におけるユーザ装置ＵＥ及び基地局ｅＮＢは、以上説明した処理手順その１、処理手順その２−１、処理手順その２−２、及び処理手順その２−３のうちの１つのみをサポートするようにしてもよいし、これらの処理手順のうちの一部又は全部をサポートし、どの処理手順を用いるのかを、基地局ｅＮＢからユーザ装置ＵＥに指示するようにしてもよい。
【００５７】
また、ユーザ装置ＵＥは、以上説明した処理手順に対応する能力を有していることを基地局ｅＮＢに通知するようにしてもよい。
【００５８】
図１３は、実施の形態に係る無線通信システムの処理手順を示すシーケンス図である。ユーザ装置ＵＥは、以上説明した処理手順に対応する能力を有していることを示す能力通知メッセージを基地局ｅＮＢに送信する（Ｓ２１）。なお、ユーザ装置ＵＥは、処理手順その１、処理手順その２−１、処理手順その２−２、及び処理手順その２−３のうち、自身が対応している処理手順を具体的に基地局ｅＮＢに通知するようにしてもよい。能力通知メッセージは、ＲＲＣメッセージにおけるＵＥＣａｐａｂｉｌｉｔｙＩｎｆｏｒｍａｔｉｏｎメッセージであってもよい。
【００５９】
続いて、基地局ｅＮＢは、本実施の形態に係る処理手順を用いてＵＥ−ＲＳを送信することを指示するメッセージをユーザ装置ＵＥに送信する（Ｓ２２）。基地局ｅＮＢは、ステップＳ２２において、どの処理手順を用いるのかを具体的に指示するメッセージをユーザ装置ＵＥに送信するようにしてもよい。当該メッセージは、例えばＲＲＣメッセージであってもよいし、ＭＡＣレイヤの制御メッセージであってもよい。
【００６０】
続いて、基地局ｅＮＢは、ユーザ装置ＵＥに指示した処理手順を用いてＤＬデータの送信を行う（Ｓ２３）。
【００６１】
＜機能構成＞
（基地局）
図１４は、実施の形態に係る基地局の機能構成例を示す図である。図１４に示すように、基地局ｅＮＢは、信号送信部１０１、信号受信部１０２、能力管理部１０３及び送信信号生成部１０４を有する。図１４は、基地局ｅＮＢにおいて本発明の実施の形態に特に関連する機能部のみを示すものであり、少なくともＬＴＥに準拠した動作を行うための図示しない機能も有するものである。また、図１４に示す機能構成は一例に過ぎない。本実施の形態に係る動作を実行できるのであれば、機能区分及び機能部の名称はどのようなものでもよい。ただし、これまでに説明した基地局ｅＮＢの処理の一部（例：特定の１つ又は複数の処理手順のみ等）を実行可能としてもよい。
【００６２】
信号送信部１０１は、送信信号生成部１０４により生成された信号から無線信号を生成し、無線送信する機能を含む。信号受信部１０２は、各ユーザ装置ＵＥから各種の信号を無線受信し、受信した物理レイヤの信号からより上位のレイヤの信号を取得する機能を含む。
【００６３】
信号送信部１０１及び信号受信部１０２はそれぞれ、パケットバッファを備え、レイヤ１（ＰＨＹ）、レイヤ２（ＭＡＣ、ＲＬＣ、ＰＤＣＰ）及びレイヤ３（ＲＲＣ）の処理を行うことを想定している（ただし、これに限られるわけではない）。
【００６４】
能力管理部１０３は、ユーザ装置ＵＥから能力通知メッセージを取得し、メモリ等に格納する機能を有する。また、能力管理部１０３は、ユーザ装置ＵＥが、本実施の形態に係る処理手順に対応していることを送信信号生成部１０４に通知する。また、能力管理部１０３は、「新たなＵＥ−ＲＳのマッピングパターン」でＵＥ固有参照信号を送信することをユーザ装置ＵＥに通知するようにしてもよい。
【００６５】
送信信号生成部１０４は、ユーザ装置ＵＥから送信されるべき上位のレイヤの信号から、下位レイヤの各種信号を生成し、生成された各種信号が所定のリソース（リソースエレメント）にマッピングされた信号を生成して信号送信部１０１に渡す。なお、信号送信部１０１の中に送信信号生成部１０４を備えてもよい。送信信号生成部１０４により生成される信号には、各種参照信号（ＵＥ−ＲＳ、ＣＲＳ、ＣＳＩ−ＲＳ等）、同期信号（ＰＳＳ／ＳＳＳ）、ＰＤＳＣＨに係る信号、ＰＤＣＣＨに係る信号が含まれる。また、送信信号生成部１０４は、ＵＥ−ＲＳを所定のリソースにマッピングする際、「従来のＵＥ−ＲＳのマッピングパターン」又は「新たなＵＥ−ＲＳのマッピングパターン」のいずれかのパターンに従ってＵＥ−ＲＳを所定のリソースにマッピングする。
【００６６】
（ユーザ装置）
図１５は、実施の形態に係るユーザ装置の機能構成例を示す図である。図１５に示すように、ユーザ装置ＵＥは、信号送信部２０１、信号受信部２０２、能力通知部２０３及び参照信号管理部２０４を有する。図１５は、ユーザ装置ＵＥにおいて本発明の実施の形態に特に関連する機能部のみを示すものであり、少なくともＬＴＥに準拠した動作を行うための図示しない機能も有するものである。また、図１５に示す機能構成は一例に過ぎない。本実施の形態に係る動作を実行できるのであれば、機能区分及び機能部の名称はどのようなものでもよい。ただし、これまでに説明したユーザ装置ＵＥの処理の一部（例：特定の１つ又は複数の処理手順のみ等）を実行可能としてもよい。
【００６７】
信号送信部２０１は、ユーザ装置ＵＥから送信されるべき各種信号を生成し、無線送信する機能を有する。信号受信部２０２は、基地局ｅＮＢから各種の無線信号を受信する機能を有する。信号送信部２０１及び信号受信部２０２はそれぞれ、パケットバッファを備え、レイヤ１（ＰＨＹ）、レイヤ２（ＭＡＣ、ＲＬＣ、ＰＤＣＰ）及びレイヤ３（ＲＲＣ）の処理を行うことを想定している（ただし、これに限られるわけではない）。
【００６８】
また、信号受信部２０２は、参照信号管理部２０４で管理されているＵＥ−ＲＳがマッピングされるリソースエレメントのパターン（「従来のＵＥ−ＲＳのマッピングパターン」又は「新たなＵＥ−ＲＳのマッピングパターン」）に従って、ＵＥ−ＲＳが送信されるリソースエレメントの位置を認識してＵＥ−ＲＳを受信する機能を有する。また、信号受信部２０２は、受信したＵＥ−ＲＳを用いてチャネル推定を行い、更にチャネル推定値を用いてＰＤＳＣＨの復調を行うことでＤＬデータを受信（取得）する。信号受信部２０２は、参照信号を受信する第一の受信部と、ＰＤＳＣＨの復調等を行う第二の受信部とに分かれていてもよい。
【００６９】
能力通知部２０３は、ユーザ装置ＵＥ自身が本実施の形態に係る処理手順に対応していることを示す能力通知メッセージを基地局ｅＮＢに送信する。
【００７０】
参照信号管理部２０４は、ＵＥ−ＲＳがマッピングされるリソースエレメントのパターン（「従来のＵＥ−ＲＳのマッピングパターン」又は「新たなＵＥ−ＲＳのマッピングパターン」）を管理する機能を有する。また、参照信号管理部２０４は、基地局ｅＮＢからの指示に従って、どのパターンでＵＥ−ＲＳがマッピングされるのかを管理するようにしてもよい。
【００７１】
以上説明したユーザ装置ＵＥ及び基地局ｅＮＢの機能構成は、全体をハードウェア回路（例えば、１つ又は複数のＩＣチップ）で実現してもよいし、一部をハードウェア回路で構成し、その他の部分をＣＰＵとプログラムとで実現してもよい。
【００７２】
（基地局）
図１６は、実施の形態に係る基地局のハードウェア構成例を示す図である。図１６は、図１４よりも実装例に近い構成を示している。図１６に示すように、基地局ｅＮＢは、無線信号に関する処理を行うＲＥ（Radio Equipment）モジュール３０１と、ベースバンド信号処理を行うＢＢ（Base Band）処理モジュール３０２と、上位レイヤ等の処理を行う装置制御モジュール３０３と、ネットワークと接続するためのインタフェースである通信ＩＦ３０４とを有する。
【００７３】
ＲＥモジュール３０１は、ＢＢ処理モジュール３０２から受信したデジタルベースバンド信号に対して、Ｄ／Ａ（Digital-to-Analog）変換、変調、周波数変換、及び電力増幅等を行うことでアンテナから送信すべき無線信号を生成する。また、受信した無線信号に対して、周波数変換、Ａ／Ｄ（Analog to Digital）変換、復調等を行うことでデジタルベースバンド信号を生成し、ＢＢ処理モジュール３０２に渡す。ＲＥモジュール３０１は、例えば、図１４に示す信号送信部１０１及び信号受信部１０２の一部を含む。
【００７４】
ＢＢ処理モジュール３０２は、ＩＰパケットとデジタルベースバンド信号とを相互に変換する処理を行う。ＤＳＰ（Digital Signal Processor）３１２は、ＢＢ処理モジュール３０２における信号処理を行うプロセッサである。メモリ３２２は、ＤＳＰ３１２のワークエリアとして使用される。ＢＢ処理モジュール３０２は、例えば、図１４に示す信号送信部１０１の一部、信号受信部１０２の一部及び送信信号生成部１０４を含む。
【００７５】
装置制御モジュール３０３は、ＩＰレイヤのプロトコル処理、ＯＡＭ（Operation and Maintenance）処理等を行う。プロセッサ３１３は、装置制御モジュール３０３が行う処理を行うプロセッサである。メモリ３２３は、プロセッサ３１３のワークエリアとして使用される。補助記憶装置３３３は、例えばＨＤＤ等であり、基地局ｅＮＢ自身が動作するための各種設定情報等が格納される。装置制御モジュール３０３は、例えば、図１４に示す能力管理部１０３を含む。
【００７６】
（ユーザ装置）
図１７は、実施の形態に係るユーザ装置のハードウェア構成例を示す図である。図１７は、図１５よりも実装例に近い構成を示している。図１７に示すように、ユーザ装置ＵＥは、無線信号に関する処理を行うＲＥモジュール４０１と、ベースバンド信号処理を行うＢＢ処理モジュール４０２と、上位レイヤ等の処理を行う装置制御モジュール４０３と、ＳＩＭカードにアクセスするインタフェースであるＳＩＭスロット４０４とを有する。
【００７７】
ＲＥモジュール４０１は、ＢＢ処理モジュール４０２から受信したデジタルベースバンド信号に対して、Ｄ／Ａ変換、変調、周波数変換、及び電力増幅等を行うことでアンテナから送信すべき無線信号を生成する。また、受信した無線信号に対して、周波数変換、Ａ／Ｄ変換、復調等を行うことでデジタルベースバンド信号を生成し、ＢＢ処理モジュール４０２に渡す。ＲＥモジュール４０１は、例えば、図１５に示す信号送信部２０１及び信号受信部２０２の一部を含む。
【００７８】
ＢＢ処理モジュール４０２は、ＩＰパケットとデジタルベースバンド信号とを相互に変換する処理を行う。ＤＳＰ４１２は、ＢＢ処理モジュール４０２における信号処理を行うプロセッサである。メモリ４２２は、ＤＳＰ４１２のワークエリアとして使用される。ＢＢ処理モジュール４０２は、例えば、図１５に示す信号送信部２０１の一部、信号受信部２０２の一部、及び参照信号管理部２０４を含む。
【００７９】
装置制御モジュール４０３は、ＩＰレイヤのプロトコル処理、各種アプリケーションの処理等を行う。プロセッサ４１３は、装置制御モジュール４０３が行う処理を行うプロセッサである。メモリ４２３は、プロセッサ４１３のワークエリアとして使用される。また、プロセッサ４１３は、ＳＩＭスロット４０４を介してＳＩＭとの間でデータの読出し及び書込みを行う。装置制御モジュール４０３は、例えば、図１５に示す能力通知部２０３を含む。
【００８０】
＜まとめ＞
以上、実施の形態によれば、ＬＴＥをサポートする無線通信システムにおいてユーザ装置と通信する基地局であって、時間方向において同期信号がマッピングされる所定のサブフレームで表される区間と、周波数方向において前記同期信号がマッピングされる区間とで囲まれた範囲の中で、前記同期信号がマッピングされるリソースエレメント以外のリソースエレメントにＵＥ固有参照信号がマッピングされる第一のパターンに従って、ＵＥ固有参照信号がマッピングされる信号を生成する生成部と、
生成される前記信号を送信する送信部と、を有する基地局が提供される。この基地局ｅＮＢにより、ＬＴＥをサポートする無線通信システムにおいて、スループットの向上を実現することが可能な技術が提供される。
【００８１】
また、前記生成部は、時間方向において前記所定のサブフレームで表される区間と、周波数方向において前記同期信号がマッピングされない区間とで囲まれた範囲のリソースエレメントに、前記第一のパターンとは異なる第二のパターンでＵＥ固有参照信号がマッピングされる信号を生成するようにしてもよい。これにより、基地局ｅＮＢは、ＳＳがマッピングされないＲＢについては、「従来のＵＥ−ＲＳのマッピングパターン」を適用してＵＥ−ＲＳを送信することができる。
【００８２】
また、前記生成部は、時間方向において前記所定のサブフレームで表される区間と、周波数方向において前記同期信号がマッピングされない区間とで囲まれた範囲のリソースエレメントに、前記第一のパターンでＵＥ固有参照信号がマッピングされる信号を生成するようにしてもよい。これにより、基地局ｅＮＢは、ＳＳがマッピングされるサブフレームでは、一律「新たなＵＥ−ＲＳのマッピングパターン」を適用してＵＥ−ＲＳを送信することができ、処理手順を簡略化することができる。
【００８３】
また、前記生成部は、時間方向において同期信号がマッピングされないサブフレームにおけるリソースエレメントに、前記第一のパターンでＵＥ固有参照信号がマッピングされる信号を生成するようにしてもよい。これにより、基地局ｅＮＢは、全てのサブフレームにおいて、一律「新たなＵＥ−ＲＳのマッピングパターン」を適用してＵＥ−ＲＳを送信することができ、更に処理手順を簡略化することができる。
【００８４】
また、前記生成部は、時間方向において前記所定のサブフレームで表される区間に、チャネル状態情報参照信号がマッピングされる場合、時間方向において前記所定のサブフレームで表される区間におけるリソースエレメントに、前記第一のパターンとは異なる第二のパターンでＵＥ固有参照信号がマッピングされる信号を生成するようにしてもよい。これにより、基地局ｅＮＢは、ＣＳＩ−ＲＳがマッピングされるサブフレームにおいては、「従来のＵＥ−ＲＳのマッピングパターン」を適用してＵＥ−ＲＳを送信することができ、処理手順を簡略化することができる。
【００８５】
また、前記ユーザ装置に、前記第一のパターンでマッピングされるＵＥ固有参照信号を送信することを通知する管理部を更に有していてもよい。これにより、基地局ｅＮＢは、本実施の形態に係る処理手順を適用することを予めユーザ装置ＵＥに通知することが可能になる。
【００８６】
また、実施の形態によれば、ＬＴＥをサポートする無線通信システムにおいてユーザ装置と通信する基地局であって、時間方向において同期信号がマッピングされる所定のサブフレームで表される区間と、周波数方向において前記同期信号がマッピングされる区間とで囲まれた範囲のリソースエレメントに、所定のパターンでＵＥ固有参照信号がマッピングされ、前記所定のパターンに従ってＵＥ固有参照信号がマッピングされるリソースエレメントのうち、前記範囲の中で前記同期信号がマッピングされるシンボルと時間方向で連続するリソースエレメントにはＵＥ固有参照信号に代えて物理下り共有チャネルの信号がマッピングされる信号を生成する生成部と、生成される前記信号を送信する送信部と、を有する基地局が提供される。この基地局ｅＮＢにより、ＬＴＥをサポートする無線通信システムにおいて、スループットの向上を実現することが可能な技術が提供される。
【００８７】
また、実施の形態によれば、ＬＴＥをサポートする無線通信システムにおいて基地局と通信するユーザ装置であって、時間方向において同期信号がマッピングされる所定のサブフレームで表される区間と、周波数方向において前記同期信号がマッピングされる区間とで囲まれた範囲のリソースエレメントに所定のパターンでマッピングされるＵＥ固有参照信号のうち、時間方向に連続したリソースエレメントにマッピングされるＵＥ固有参照信号を受信する第一の受信部と、前記第一の受信部で受信した前記ＵＥ固有参照信号を用いて、物理下り共有チャネルの信号を受信する第二の受信部と、を有するユーザ装置が提供される。このユーザ装置ＵＥにより、ＬＴＥをサポートする無線通信システムにおいて、スループットの向上を実現することが可能な技術が提供される。
【００８８】
また、実施の形態によれば、ＬＴＥをサポートする無線通信システムにおいてユーザ装置と通信する基地局が実行する参照信号送信方法であって、時間方向において同期信号がマッピングされる所定のサブフレームで表される区間と、周波数方向において前記同期信号がマッピングされる区間とで囲まれた範囲の中で、前記同期信号がマッピングされるリソースエレメント以外のリソースエレメントにＵＥ固有参照信号がマッピングされる第一のパターンに従って、ＵＥ固有参照信号がマッピングされる信号を生成するステップと、生成される前記信号を送信するステップと、を有する参照信号送信方法が提供される。この参照信号送信方法により、ＬＴＥをサポートする無線通信システムにおいて、スループットの向上を実現することが可能な技術が提供される。
【００８９】
また、以上、実施の形態によれば、ＬＴＥをサポートする無線通信システムにおいて基地局と通信するユーザ装置が実行する信号受信方法であって、時間方向において同期信号がマッピングされる所定のサブフレームで表される区間と、周波数方向において前記同期信号がマッピングされる区間とで囲まれた範囲のリソースエレメントに所定のパターンでマッピングされるＵＥ固有参照信号のうち、時間方向に連続したリソースエレメントにマッピングされるＵＥ固有参照信号を受信するステップと、受信した前記ＵＥ固有参照信号を用いて、物理下り共有チャネルの信号を受信するステップと、を有する信号受信方法が提供される。この信号受信方法により、ＬＴＥをサポートする無線通信システムにおいて、スループットの向上を実現することが可能な技術が提供される。
【００９０】
＜実施形態の補足＞
以上、本発明の実施の形態で説明する各装置（ユーザ装置ＵＥ／基地局ｅＮＢ）の構成は、ＣＰＵとメモリを備える当該装置において、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在していてもよい。
【００９１】
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。実施の形態で述べたシーケンス及びフローチャートは、矛盾の無い限り順序を入れ替えてもよい。処理説明の便宜上、ユーザ装置ＵＥ／基地局ｅＮＢは機能的なブロック図を用いて説明されたが、そのような装置はハードウェアで、ソフトウェアで又はそれらの組み合わせで実現されてもよい。本発明の実施の形態に従ってユーザ装置ＵＥが有するプロセッサにより動作するソフトウェア及び本発明の実施の形態に従って基地局ｅＮＢが有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【００９２】
なお、実施の形態において、「新たなＵＥ−ＲＳのマッピングパターン」は、第一のパターンの一例である。「従来のＵＥ−ＲＳのマッピングパターン」は、第二のパターン及び所定のパターンの一例である。
【００９３】
本特許出願は２０１５年１１月１０日に出願した日本国特許出願第２０１５−２２０７９２号に基づきその優先権を主張するものであり、日本国特許出願第２０１５−２２０７９２号の全内容を本願に援用する。
【符号の説明】
【００９４】
ＵＥ  ユーザ装置
ｅＮＢ  基地局
１０１  信号送信部
１０２  信号受信部
１０３  能力管理部
１０４  送信信号生成部
２０１  信号送信部
２０２  信号受信部
２０３  能力通知部
２０４  参照信号管理部
３０１  ＲＥモジュール
３０２  ＢＢ処理モジュール
３０３  装置制御モジュール
３０４  通信ＩＦ
４０１  ＲＥモジュール
４０２  ＢＢ処理モジュール
４０３  装置制御モジュール
４０４  ＳＩＭスロット
【図１Ａ】
2017082232.tif 000003
【図１Ｂ】
2017082232.tif 000004
【図２】
2017082232.tif 000005
【図３】
2017082232.tif 000006
【図４】
2017082232.tif 000007
【図５】
2017082232.tif 000008
【図６Ａ】
2017082232.tif 000009
【図６Ｂ】
2017082232.tif 000010
【図７】
2017082232.tif 000011
【図８】
2017082232.tif 000012
【図９Ａ】
2017082232.tif 000013
【図９Ｂ】
2017082232.tif 000014
【図１０Ａ】
2017082232.tif 000015
【図１０Ｂ】
2017082232.tif 000016
【図１１Ａ】
2017082232.tif 000017
【図１１Ｂ】
2017082232.tif 000018
【図１２Ａ】
2017082232.tif 000019
【図１２Ｂ】
2017082232.tif 000020
【図１３】
2017082232.tif 000021
【図１４】
2017082232.tif 000022
【図１５】
2017082232.tif 000023
【図１６】
2017082232.tif 000024
【図１７】
2017082232.tif 000025
【国際調査報告】
2017082232.tif 000026
2017082232.tif 000027
2017082232.tif 000028